(57)【要約】      （修正有）【課題】クリック感の有無を切り替え可能で、クリック感有り時よりも無し時の方が回転操作部材に割り当てられた機能の設定値を１段階変更するために必要な操作角度を小さくすること。【解決手段】回転操作部材と、回転操作部材の回転規制が有る規制状態と無い非規制状態の二つの状態を切り替えるクリック切替機構と、回転規制の有無を検知する切替検知手段と、回転操作部材の回転方向、回転量を検出する回転検出手段と、時間を測定するタイマーとで構成され、切替検知手段により回転規制が有りと検知された時は、回転操作部材の所定の回転角度毎に回転操作部材に割り当てられた機能の設定値を１段階変更する処理を行い、回転規制が無しと検知された時は、回転操作部材の所定の回転操作角度毎に回転操作部材に割り当てられた機能の設定値を１段階変更する処理に加え、回転操作部材の操作速度に応じた数の設定値変更処理を行う制御手段を備えたことを特徴とする。【選択図】図９
2020101728.tif 000002
【特許請求の範囲】
【請求項１】
筺体に回転可能に固定された回転操作部材と、前記回転操作部材の回転規制が有る規制状態と前記回転操作部材の回転規制が無い非規制状態の二つの状態を切り替えるクリック切替機構と、前記クリック切替機構による回転規制の有無を検知する切替検知手段と、前記回転操作部材の回転方向、回転量を検出する回転検出手段と、筺体内に設けられ、時間を測定するタイマーとで構成され、前記切替検知手段により、回転規制が有りと検知された時は、前記回転操作部材の所定の回転角度毎に、前記回転操作部材に割り当てられた機能の設定値を１段階変更する処理を行い、回転規制が無しと検知された時は、前記回転操作部材の所定の回転操作角度毎に、前記回転操作部材に割り当てられた機能の設定値を１段階変更する処理に加え、前記回転操作部材の操作速度に応じた数の設定値変更処理を行う制御手段を備えたことを特徴とする電子機器。
【請求項２】
動作モードを複数有し、前記切替検知手段により、前記クリック切替機構による回転規制が無しと検知された時、設定された動作モードにより、前記回転操作部材の操作速度に応じた設定値の変更数を変更することを特徴とする請求項１に記載の電子機器。
【発明の詳細な説明】
【技術分野】
【０００１】
本発明は、デジタルカメラ等の電子機器に関し、特に回転操作可能な操作部材を有する電子機器に関する。
【背景技術】
【０００２】
デジタルカメラ等の電子機器では、様々な機能が搭載されている。例えば、デジタルカメラでは、撮影レンズのフォーカス調整やズーム倍率の変更、絞り優先ないしシャッター速度優先の自動露光モードなどの撮影モードといった機能を有している。そして、それぞれの機能を選択したり、各機能に含まれる様々な設定値を変更したりするための操作部材を筺体に備えている。
【０００３】
携帯型電子機器の場合、大型化を防ぐために、複数の機能を１つの操作部材で変更可能にしたものがある。例えば、デジタルカメラでは、撮影レンズのフォーカス調整やズーム倍率のように連続的な値で設定される機能や、絞り値やシャッター速度のように離散的な値で設定される機能を１つの操作部材に割り当てると、２つ必要であった操作部材を１つに減らすことが可能となる。
【０００４】
そのような操作部材として、参考文献１のように機器本体前面部の鏡筒周りに回転可能な操作部材を設け、回転規制の有る規制状態と、回転規制の無い非規制状態の二つの状態を切替手段により切り替え可能としたものがある。
【先行技術文献】
【特許文献】
【０００５】
【特許文献１】特開２０１４−２１２４５号公報
【発明の概要】
【発明が解決しようとする課題】
【０００６】
特許文献１の形態では、回転規制の有る規制状態と回転規制の無い非規制状態のどちらの場合でも、操作部材の操作の検出は同一の手段で行われる。そのため、割り当てられた機能の設定値を１段階変更するのに必要な回転操作部材の操作角度は、規制状態と非規制状態とで同一であり、非規制状態に連続的な値の設定を割り当てた場合でも、離散的な操作感となってしまう。
【０００７】
なお、上記操作部材の回転規制のある状態とは、操作部材の回転操作時に操作抵抗が定期的に変化する、いわゆるクリック感が生じる状態を指している。また回転規制の無い状態とは、操作部材の回転操作時に操作抵抗がほぼ一定のスムーズでクリック感の無い状態を指している。以降、クリック感が生じる状態をクリックＯＮ状態、クリック感が生じない状態をクリックＯＦＦ状態と記すことにする。
【０００８】
そこで、本発明の目的は、操作時のクリック感の有無を切り替え可能な回転操作部材にあって、クリック感有り時よりも無し時の方が、回転操作部材に割り当てられた機能の設定値を１段階変更するために必要な操作角度を小さくすることにある。
【課題を解決するための手段】
【０００９】
上記の目的を達成するために、本発明に係る電子機器は、
筺体に回転可能に固定された回転操作部材と、回転操作部材の回転規制が有る規制状態と回転操作部材の回転規制が無い非規制状態の二つの状態を切り替えるクリック切替機構と、クリック切替機構による回転規制の有無を検知する切替検知手段と、回転操作部材の回転方向、回転量を検出する回転検出手段と、筺体内に設けられ、時間を測定するタイマーとで構成され、切替検知手段により、回転規制が有りと検知された時は、回転操作部材の所定の回転角度毎に、回転操作部材に割り当てられた機能の設定値を１段階変更する処理を行い、回転規制が無しと検知された時は、回転操作部材の所定の回転操作角度毎に、回転操作部材に割り当てられた機能の設定値を１段階変更する処理に加え、回転操作部材の操作速度に応じた数の設定値変更処理を行う制御手段を備えたことを特徴とする。
【発明の効果】
【００１０】
本発明によれば、操作時のクリック感の有無を切り替え可能な回転操作部材にあって、クリック感有り時よりも無し時の方が、回転操作部材に割り当てられた機能の設定値を１段階変更するために必要な操作角度を小さくする電子機器の提供を実現できる。
【図面の簡単な説明】
【００１１】
【図１】デジタルカメラの外観斜視図
【図２】デジタルカメラ構成を示すブロック図
【図３】前面カバーユニットの内部構造図
【図４】前面カバーユニットの分解斜視図
【図５】クリック発生機構の分解斜視図
【図６】前面カバーユニットの断面図
【図７】クリック切替機構の拡大図
【図８】回転検出手段の拡大図
【図９】操作リングの操作による設定値の変更処理のフローチャート
【図１０】操作リングの操作による設定値の変更処理のフローチャート
【発明を実施するための形態】
【００１２】
本発明の好ましい実施の形態を、添付の図面に基づいて詳細に説明する。尚、以下に説明する実施の形態は、本発明の実現手段としての一例であり、本発明は、その趣旨を逸脱しない範囲で下記実施形態を修正又は変形したものに適用可能である。
【実施例１】
【００１３】
図１（ａ）は、本発明の実施形態であるデジタルカメラ１本体の前面側斜視図である。
【００１４】
デジタルカメラ１の筐体前面には、被写体光から光学像を生成し、後述する撮像素子１１３に結像する沈胴式の光学系撮影レンズ鏡筒３が備わっている。
【００１５】
撮影レンズ鏡筒３の外周には、操作リング２０１が設けられる。操作リング２０１は、回転操作することにより絞り優先ないしシャッター速度優先の自動露光モードなどの撮影モードといった機能、及び各機能に含まれる設定値を変更することが可能となっている。操作リング２０１の近傍には、切替操作部材２０５が設けられている。切替操作部材２０５をスライドさせることで、操作リング２０１の操作時のクリックＯＮ状態とクリックＯＦＦ状態を切り替えることができる。なお、操作リング２０１、切替操作部材２０５は、デジタルカメラ１の前面を覆う前面カバーユニット２に配置されている。
【００１６】
デジタルカメラ１の上面部には、デジタルカメラ１の電源オンとオフの操作を行う電源ボタン１０１、撮像準備および撮像操作の指示を行うレリーズボタン１０２が設けられる。レリーズボタン１０２は２段階の押圧操作が可能となっている。レリーズボタン１０２を半押し操作すると、撮影準備動作（測光動作や測距動作等）が開始される。レリーズボタン１０２を全押し操作すると、被写体を撮影し、記録媒体１１９に被写体像の画像デ−タを記録する。
【００１７】
レリーズボタン１０２の外周部には、レリーズボタン１０２を中心に所定の角度で回動し、撮影画角の変更を行うズームレバー１０３が配置されている。デジタルカメラ１の筺体上面から見て時計回りに回転させると、撮影レンズ鏡筒３がテレ側（画角が狭くなる方向）にズ−ム動作を行い、逆に反時計回りに回転させると撮影レンズ鏡筒３がワイド側（画角が広がる方向）にズ−ム動作を行う。
【００１８】
さらに静止画撮影や動画撮影等の各種撮影モードの切替えを行うモードダイヤル１０４、撮影画像の明るさの補正量を設定する露出補正ダイヤル１０５、発光部がポップアップ可能なストロボユニット１０６を備えている。モードダイヤル１０４には、各種の撮影モードに応じた指標（不図示）が印刷されており、各指標を所定の位置に合わせることで、指標に応じた撮影モードの設定を行うことができる。ストロボユニット１０６はカメラ１側面のストロボレバー１０７を操作することで発光部がポップアップする。
【００１９】
図１（ｂ）は、デジタルカメラ１本体の背面側斜視図である。
【００２０】
デジタルカメラ本体１の背面部には、チルト可能な表示部支持体１０８と撮影前のスルー画像や、撮影画像、各種撮影条件を表示する液晶表示部１０９が設けられる。液晶表示部１０９には、タッチセンサーが内蔵され、撮像パラメータの変更、液晶表示部１０９の表示形式の変更といった機能を選択する際に利用する。
【００２１】
液晶表示部１０９は、表示部支持体１０８により、デジタルカメラ１の筺体上部に設けられた回転軸を中心として、１８０°の範囲で回動させることができ、筺体上面側と筺体前面側からの液晶表示部１０９の視認性を向上させている。デジタルカメラ本体１の背面部には、さらに撮影条件の変更、液晶表示部１０９の表示形式の変更といった機能を選択する際に利用する各種操作ボタン群１１０、グリップ部１１１が設けられている。デジタルカメラ本体１の側面部には、各種外部デバイスに接続するための端子類を保護する端子カバー１１２が配置される。
【００２２】
図２は、デジタルカメラ１の構成を示すブロック図である。
【００２３】
撮像素子１１３は、光学像を光電変換してアナログ映像信号を生成するＣＣＤやＣＭＯＳイメ−ジセンサ等であり、撮影レンズ鏡筒３に実装されている。Ａ／Ｄ変換部１２０は、デジタルカメラ１の内部に搭載された信号処理基板（不図示）に実装され、撮像素子１１３で生成したアナログ映像信号をデジタル映像信号に変換する。
【００２４】
画像処理部１２１は、前記信号処理基板に実装され、Ａ／Ｄ変換部１２０で得られたデジタル映像信号を所定の画像データに変換する。変換された画像データは、最終的には前記信号処理基板に実装されたカードＩ／Ｆ１１４等を含む記録媒体スロットに対して着脱可能な記録媒体１１９に保存される。
【００２５】
前記信号処理基板には、デジタルカメラ１全体を制御し、プログラムを実行するシステム制御部１１５、プログラム等を電気的に消去・記録可能な不揮発性メモリ１１６が実装されている。ここでいう、プログラムとは、本実施形態にて後述する各種フローチャートを実行するためのプログラムのことである。さらに、前記信号処理基板には、不揮発性メモリ１１６から読み込んだプログラム等を展開するシステムメモリ１１７、各種制御に用いる時間や、内蔵された時計の時間を計測するシステムタイマー１１８が実装されている。
【００２６】
次に、図３、図４を用いて、図１（ａ）の前面カバーユニット２の構成について説明する。
【００２７】
図３は、前面カバーユニット２の内部構造図であり、図４は前面カバーユニット２の分解斜視図である。
【００２８】
図３及び図４に示すように、前面カバーユニット２は、デジタルカメラ１の外装カバーである前面カバー２０２および操作リング２０１、後述する操作リング保持部材２０３、ベース部材２０４、切替操作部材２０５、環状部材２０６を備える。さらに、前面カバーユニット２は、後述するクリック発生機構、クリック切替機構、回転検出手段、クリック検出手段を備える。
【００２９】
図４において、ベース部材２０４は、ベース部材２０４に設けられた円筒部２０４ａが、前面カバー２０２に形成された円状切り欠き部２０２ａから突き出た状態で、前面カバー２０２の内部面に両面テープや接着材等により固定される。
【００３０】
操作リング保持部材２０３は、切替操作部材２０５を回動可能にベース部材２０４と挟持し、内周部２０３ａが円筒部２０４ａに嵌合して、ベース部材２０４にビスにて固定されている。
【００３１】
操作リング２０１は、その円筒部２０１ｂが操作リング保持部材２０３に形成された外周部２０３ｂと嵌合する。操作リング２０１と環状部材２０６は、前面カバー２０２、ベース部材２０４、及び操作リング保持部材２０３を間に挟み、環状部材２０６に複数設けた係合腕部２０６ｃが、操作リング２０１に複数設けた係合爪部２０１ａに係合することで抜け止めがなされる。かかる係合によって、操作リング２０１は環状部材２０６と一体に回転可能に前面カバー２０２に取り付けられている。
【００３２】
環状部材２０６には、最外周に所定の形状で切り欠いた開口部２０６ａ、及び切り欠きのない部分である非開口部２０６ｂが周方向に等間隔で複数形成されている。開口部２０６ａ、および非開口部２０６ｂは、後述するクリック発生機構と回転検出手段に利用される。
【００３３】
次に、各構成の詳細について説明する。
【００３４】
図３〜図７を用いて、操作リング２０１のクリック感を発生させるためのクリック発生機構及び操作リング２０１のクリックＯＮ状態とクリックＯＦＦ状態を切り替えるクリック切替機構について説明する。
【００３５】
図５は、クリック発生機構の分解斜視図である。
【００３６】
クリック発生機構は、なめらかな操作感を実現するため、摩擦抵抗を低減する鋼球２０７、クリック部材２０９、及び鋼球２０７とクリック部材２０９を付勢する付勢ばね２０８で構成されている。鋼球２０７、付勢ばね２０８、クリック部材２０９がベース部材２０４に設けられた貫通穴２０４ｂに移動可能に挿通され、クリック部材２０９側は、切替プレート２１０に当接し、鋼球２０７側は、切替操作部材２０５に当接している。また、クリック部材２０９の切替プレート２１０側の先端形状は球形状となっている。
【００３７】
図６（ａ）、図６（ｂ）は、図３におけるＡ−Ａ断面である。
【００３８】
クリック切替機構は、切替プレート２１０と、切替プレート２１０を保持固定する切替操作部材２０５で構成されている。切替操作部材２０５は、係合溝２０５ａと係合溝２０５ｂ、係合溝２０５ａと係合溝２０５ｂを繋ぐ浅い摺動溝２０５ｃを有している。鋼球２０７が付勢ばね２０８に付勢され、係合溝２０５ａもしくは係合溝２０５ｂに当接することで、切替操作部材２０５は、操作リング２０１のクリックＯＮ状態とクリックＯＦＦ状態のそれぞれの状態を保持する。
【００３９】
図７は、図３のＤ部の拡大図であり、説明のため環状部材２０６を不図示にしている。
【００４０】
切替プレート２１０には、第１の貫通穴２１０ａ、第２の貫通穴２１０ｂが設けられており、それぞれの貫通穴がスリット２１０ｃにより繋がっている。そして、第１の貫通穴２１０ａ、第２の貫通穴２１０ｂは、クリック部材２０９の先端の球形状より小さくなっているため、切替プレート２１０が切替操作部材２０５へ固定された状態にてクリック部材２０９を保持可能となっている。また、詳細については後述するが、第１の貫通穴２１０ａは、第２の貫通穴２１０ｂより小さくなっている。クリック切替機構は上記構成となっている。
【００４１】
ここで、操作リング２０１のクリックＯＦＦ状態について説明する。
【００４２】
図６（ａ）及び図７（ａ）は、切替操作部材２０５がクリックＯＦＦ状態の位置を示し、クリック部材２０９が、切替プレート２１０の第１の貫通穴２１０ａに、付勢ばね２０８にて付勢されている。同時に、鋼球２０７が、切替操作部材２０５の係合溝２０５ａへ付勢ばね２０８にて付勢されている。鋼球２０７が係合溝２０５ａに嵌っている状態から浅い摺動溝２０５ｃに移動するためには、付勢ばね２０８を圧縮する力が必要であるため、切替操作部材２０５が安易には回動しないように保持された状態となっている。
【００４３】
また、切替プレート２１０の第１の貫通穴２１０ａは、クリック部材２０９の先端の球形状より十分に小さく、クリック部材２０９の先端が環状部材２０６に当接しないように保持している。そのため、クリックＯＦＦ状態では、環状部材２０６には回転による負荷変動は生じないので、それと一体化されている操作リング２０１の回動操作も負荷変動のないスムーズに操作することが可能となっている。
【００４４】
次に、操作リング２０１のクリックＯＮ状態について説明する。
【００４５】
図６（ｂ）及び図７（ｂ）は、切替操作部材２０５がクリックＯＮ状態の位置を示す。上述のクリックＯＦＦ状態から、切替操作部材２０５を本実施例のデジタルカメラ１正面から見て反時計周りにスライド操作すると、鋼球２０７が係合溝２０５ａから浅い摺動溝２０５ｃへ乗り上げる。
【００４６】
さらに切替操作部材２０５をスライド操作すると、鋼球２０７が嵌合溝２０５ｂへ嵌まり、図６（ｂ）及び図７（ｂ）の状態となる。鋼球２０７が付勢ばね２０８により嵌合溝２０５ｂに付勢されることで、切替操作部材２０５の位置が保持される。同時に、クリック部材２０９が切替プレート２１０の第１の貫通穴２１０ａから、スリット２１０ｃに沿ってスライドし、第２の貫通穴２１０ｂへと移動する。その時、クリック部材２０９は切替プレート２１０の第２の貫通穴２１０ｂを通り、環状部材２０６に付勢された状態となっている。
【００４７】
第２の貫通穴２１０ｂは、クリック部材２０９の先端部が一定量飛び出す大きさとなっており、その飛び出し量は環状部材２０６、及びその開口部２０６ａに十分に付勢される量に設定されている。以降、クリック部材２０９が付勢ばね２０８により開口部２０６ａに付勢されている状態を以降クリックポジションと示す。
【００４８】
この状態で、操作リング２０１を回転操作させると、それと一体化されている環状部材２０６も回動し、クリック部材２０９がクリックポジションから脱出する時に、付勢ばね２０８も圧縮するので、大きな負荷が発生する。また、クリック部材２０９が非開口部２０６ｂに当接する時と非開口部２０６ｂからクリックポジションに移行時には、付勢ばね２０８を圧縮しないので、環状部材２０６の回転には小さな負荷しか生じない。そのため、クリックＯＮ状態では、ユーザーが操作リング２０１を回転させると、クリックポジションのたびに大きな負荷変動、即ちクリック感を感じることになり、段階的な操作をすることが可能となっている。
【００４９】
次に、図７を用いて、操作リング２０１がクリックＯＮ状態かクリックＯＦＦ状態かを検知するクリック検出手段について説明する。
【００５０】
クリック検出手段は主に検出用スイッチ２１３ａで構成され、検出用スイッチ２１３ａはクリック検出用フレキ基板２１３に実装され、グランド板金２１４と共にベース部材２０４にビスにて固定されている。
【００５１】
図７（ａ）、図７（ｂ）において、２０５ｄは切替操作部材２０５に設けられた突起形状である。また、２１３ｂは検出スイッチ２１３ａに設けられた検出レバーで操作されると検出スイッチ２１３ａから出力される検出信号が変化するようになっている。クリックＯＦＦ状態の時、突起形状２０５ｄは、図７（ａ）に示したように、検出スイッチ２１３ａと離間しており、検出スイッチ２１３ａの検出信号は初期状態となっている。
【００５２】
この状態から切替操作部材２０５を回動させて、図７（ｂ）のクリックＯＮ状態にすると、突起形状２０５ｄも回動し、検出スイッチ２１３ａの検出用レバー２１３ｂと干渉して、動作させ、検出信号を初期状態から変化させる。その信号の変化がクリック検出用フレキ基板２１３を通り、不図示の信号処理基板へと伝えられ、システム制御部１１５により、クリックＯＮ状態と判断される。
【００５３】
本発明では、初期状態をクリックＯＦＦ状態、変化した状態をクリックＯＮ状態としているが、逆となる構成でも良い。
【００５４】
次に、操作リング２０１の回転量を検知する回転検出手段について説明する。
【００５５】
図８（ａ）は、図３のＥ部の拡大図であり、説明のため保持部材２１２を不図示にしてある。図中の矢印Ｂは、環状部材２０６および操作リング２０１の回転方向を示しており、紙面に対して時計周りをＣ、反時計周りをＣＣと示している。
【００５６】
回転検出手段は、保持部材２１２及び検出用フレキ基板２１１に実装された第１、第２のフォトインタラプタＰＩ１、ＰＩ２（以下、ＰＩ１、ＰＩ２と省略）で構成されている。フォトインタラプタは、発光部と受光部を有し、受光部での受光量を電気信号の大小に変換して出力するものである。
【００５７】
ＰＩ１、ＰＩ２の発光部と受光部は、環状部材２０６の回転位相を検出可能となるように、環状部材２０６の開口部２０６ａないしは非開口部２０６ｂに対して、それぞれ異なる位相で、ベース部材２０４に固定されている。そして、保持部材２１２がＰＩ１、ＰＩ２を挟み込むように、ベース部材２０４へビス固定されている。
【００５８】
図８（ｂ）は、ＰＩ１、ＰＩ２内の発光部と受光部の間を環状部材２０６が回転して、開口部２０６ａと非開口部２０６ｂが通過することにより、ＰＩ１、ＰＩ２が出力した信号の変化を示した図である。
【００５９】
ＰＩ１、ＰＩ２の受光部が遮光されていない時は、ＰＩ１、ＰＩ２の出力は高くなり、この状態をＨ信号と表現している。ＰＩ１、ＰＩ２の受光部が遮光される時は、ＰＩ１、ＰＩ２の出力が小さくなり、この状態をＬ信号と表現している。
【００６０】
クリックポジションでは、ＰＩ１、ＰＩ２の各々の出力信号がＬ、Ｌとなるように、ＰＩ１、ＰＩ２が配置されている。そして、図８（ａ）のように、ＰＩ１、ＰＩ２の発光部と受光部は、開口部２０６ａに対して互いにずらして配置することにより、図８（ｂ）に示すように、ＰＩ１、ＰＩ２のＨ信号とＬ信号がそれぞれ半位相ずれた状態で出力されるようになっている。
【００６１】
図８（ｃ）は、操作リング２０１を回転させた際に、ＰＩ１、ＰＩ２が、環状部材２０６の開口部２０６ａと非開口部２０６ｂを検知した信号と、回転方向の判定を示した表である。例えば、図８（ｂ）において、クリックポジションから、操作リング２０１をＣ方向へ回転させた場合、ＰＩ１、ＰＩ２の出力波形は図中左に移動し、ＰＩ１の出力信号が先にＨとなる。すると、図８（ｃ）の表に示すようにＣ方向へ回転したと判定される。ＣＣ方向へ回転させた場合、ＰＩ２の出力信号が先にＨとなり、図８（ｃ）の表に示すようにＣＣ方向へ回転したと判定される。
【００６２】
次に、図９、図１０を参照して、本実施形態の操作リング２０１に割り当てられた機能の設定値の変更制御の動作フローについて説明する。
【００６３】
図９、図１０は、操作リング２０１に割り当てられた機能の設定値の変更制御の動作フローを示すフローチャートである。なお、図９、図１０の動作フローは、特に断らない限り、不揮発性メモリ１１６に記録されたプログラムを、システムメモリ１１７に読み出してシステム制御部１１５が実行するものとする。
【００６４】
まず、ユーザーにより、電源ボタン１０１が押下され、デジタルカメラ１が起動し、電源ボタン１０１、レリーズボタン１０２や操作リング２０１といった各操作部が操作されたことを検知する撮影待機状態となったところで、図９の動作フローが開始されるものとする。
【００６５】
ステップＳ３００では、操作リング２０１以外の操作部材が操作されたか否かを判定する。操作リング２０１以外の操作部材が操作されたと判定された場合は、その操作部材に対する処理へ進み（Ｓ４００）、操作リング２０１が操作されたと判定された場合は、ステップＳ３０１へと進む。
【００６６】
ステップＳ３０１では、検出用スイッチ２１３ａが出力する検出信号が初期状態か否か、即ち操作リング２０１がクリックＯＦＦ状態かＯＮ状態かを判定する。クリックＯＮ状態と判定された場合は、クリックＯＮ状態時の設定値変更処理であるステップＳ３０２〜Ｓ３０５に進む。クリックＯＦＦ状態と判定された場合は、クリックＯＦＦ状態時の設定値変更処理であるステップＳ３０６〜Ｓ３２８に進む。
【００６７】
まず、操作リング２０１のクリックＯＮ状態時の設定値変更処理について説明する。
【００６８】
ステップＳ３０２では、操作リング２０１の操作により、ＰＩ１とＰＩ２のどちらか一方の出力信号がＬ信号からＨ信号に反転したか否かを判定する。ＰＩ１とＰＩ２のどちらの出力信号も所定時間以内に反転しない場合は、操作リング２０１の操作が行われていないと判定し、ステップＳ３００に戻る。ＰＩ１とＰＩ２のどちらかの出力信号が所定時間以内にＬ信号からＨ信号に反転した場合、操作リング２０１の操作が行われていると判定し、ステップＳ３０３に進む。
【００６９】
ステップＳ３０３では、図８（ｃ）に記載した条件に基づき、ＰＩ１とＰＩ２の反転前の出力信号とステップＳ３０２での反転検出情報により、操作リング２０１の回転方向を判別し、設定値の変更方向を決定する。クリックＯＮ状態の場合は、前述したように操作リング２０１は、ＰＩ１、ＰＩ２の出力信号が共にＬ信号となる位置であるクリックポジションで安定的に停止するため、Ｓ３０３にて、操作リング２０１の回転方向が決定される。
【００７０】
次に、ステップＳ３０４では、操作リング２０１が更に操作されることで、ＰＩ１、ＰＩ２の出力信号が共にＬ信号に戻ったことを検出する。
【００７１】
ステップＳ３０５では、操作リング２０１に割り当てられた機能の設定値をＳ３０３で決定された変更方向に１段階変更する処理を行い、ステップＳ３０２に戻る。以降、Ｓ３０２〜Ｓ３０５の処理を繰り返すことにより、操作リング２０１のクリックＯＮ状態での設定値変更処理が行われる。
【００７２】
次に、操作リング２０１のクリックＯＦＦ状態時の設定値変更処理について説明する。
【００７３】
ステップＳ３０６では、ＰＩ１、ＰＩ２の出力信号を確認し、システムメモリ１１７に記憶させ、後述するステップＳ３０８にて操作リング２０１の回転方向を判別する際に使用する。クリックＯＦＦ状態では、前述したように、ＰＩ１とＰＩ２の出力信号の組み合わせが、一方がＨ信号で他方がＬ信号、両方共にＨ信号、両方共もＬ信号となる４通りの任意の位置で停止するため、ＰＩ１、ＰＩ２の出力信号を常に確認しておく必要がある。
【００７４】
ステップＳ３０７では、操作リング２０１の操作により、ＰＩ１、ＰＩ２のどちらか一方の出力信号が所定時間以内にＬ信号からＨ信号、もしくはＨ信号からＬ信号に反転したか否かを判定する。出力信号の反転が所定時間以内に検出されない場合は、操作リング２０１の操作が行われていないと判定し、ステップＳ３００に戻る。出力信号の反転が所定時間以内に検出された場合は、操作リング２０１の操作が行われていると判定し、ステップＳ３０８に進む。
【００７５】
ステップＳ３０８では、検出したＰＩ１、ＰＩ２の出力信号の情報と図８（ｃ）に記載した条件に基づき、操作リング２０１の回転方向を判別し、操作リング２０１に割り当てられた機能の設定値の変更方向を判定する。
【００７６】
同時に、ステップＳ３０９で、タイマー値Ｔ１の測定を開始する。タイマー値ＴＸは、Ｘを変数として、Ｘ回目のＰＩ１もしくはＰＩ２の出力信号の反転から、Ｘ＋１回目のＰＩ１もしくはＰＩ２の出力信号の反転までの時間を示し、システムタイマー１１８により測定される。
【００７７】
ステップＳ３１０では、操作リング２０１の操作により、２回目のＰＩ１もしくはＰＩ２の出力信号の反転が、１回目のＰＩ１もしくはＰＩ２の出力信号の反転が行われてから所定時間以内に検出されたか否かを判定する。所定時間以内に検出されない場合は、引き続き操作リング２０１の操作が行われていないと判定し、タイマー値Ｔ１の測定を終了し、設定値をＳ３０８で判定した変更方向に１段階変更して（Ｓ３１１）、ステップＳ３００に戻る。Ｓ３１０で、所定時間以内に検出された場合は、引き続き操作リング２０１の操作が行われていると判定し、ステップＳ３１２に進む。
【００７８】
ステップＳ３１２では、２回目のＰＩ１もしくはＰＩ２の出力信号の反転が行われたので、タイマー値Ｔ１の測定を終了する。
【００７９】
ステップＳ３１３では、２回目のＰＩ１もしくはＰＩ２の出力信号の反転が行われたので、Ｘを２に設定する。
【００８０】
ステップＳ３１４では、２回目もしくは後述するＳ３２８から戻ってきた場合はＸ回目のＰＩ１もしくはＰＩ２の出力信号の反転が行われたので、タイマー値Ｔ２もしくはＴＸの測定を開始する。
【００８１】
ステップＳ３１５では、検出したＰＩ１、ＰＩ２の出力信号の情報と図８（ｃ）に記載した条件に基づき、操作リング２０１の回転方向を判別し、前回確認時と同一の方向で回転しているかの判定を行う。前回確認時と異なる方向に回転していると判定された場合は、ユーザーが操作リング２０１の回転方向を途中で変更したと判断し、Ｓ３１６でタイマー値ＴＸの測定を終了し、設定値をＳ３０８で判定した変更方向に１段階変更して、ステップＳ３０６に戻る。Ｓ３１５で前回確認時と同一の方向に回転していると判定された場合は、ユーザーが操作リング２０１の回転方向を変更せずに、引き続き操作を続けていると判断し、ステップＳ３１７に進む。
【００８２】
ステップＳ３１７では、Ｓ３１２もしくは後述するＳ３２５で測定したタイマー値Ｔ１もしくはＴＸ−１に応じて、後述する中間パルスを３つ仮想的に設定して、Ｓ３１８（図１０に移動）に進む。中間パルスは、タイマー値Ｔｘ−１から計算された操作リング２０１の直前の操作速度により所定の間隔が設定され、システムタイマー１１８の情報により、所定の間隔毎に仮想的に設定される。なお本実施例では、仮想的に設定される中間パルスの数を３つとしているが、中間パルスの数は、撮影モードにより変更してもよい。
【００８３】
ステップＳ３１８では、中間パルスのカウントに使用する変数ｎを１に設定する。
【００８４】
ステップＳ３１９では、操作リング２０１の操作により、ＰＩ１、ＰＩ２のどちらか一方の出力信号がＬ信号からＨ信号、もしくはＨ信号からＬ信号に反転したか否かを判定する。Ｓ３１９で、出力信号の反転が検出されない場合は、ステップＳ３２０に進む。
【００８５】
ステップＳ３２０では、中間パルスのカウント数が、設定した３つに達したか否かを判定する。３つに達した場合は、ステップＳ３１９に戻る。３つに達した場合は、ステップＳ３２４に進み、前回のＰＩ１、ＰＩ２のどちらか一方の出力信号の反転から所定時間が経過したかを確認し、経過している場合は、Ｓ３００に戻り、経過していない場合は、Ｓ３１９に戻る。Ｓ３２０で、中間パルスのカウント数が３つに達していない場合は、ステップＳ３２１に進む。Ｓ３２１では、タイマー値ＴＸの測定開始時もしくは前回の中間パルスのカウント時から、ステップＳ３１７で設定した中間パルスの間隔分の時間が経過して、ｎ番目の中間パルスをカウントしたか否かを判定する。ｎ番目の中間パルスをカウントしたと判定された場合は、ステップＳ３２２に進む。ｎ番目の中間パルスをカウントされていないと判定された場合は、ステップＳ３１９に戻る。
【００８６】
ステップＳ３２２では、操作リング２０１に割り当てられた機能の設定値を、Ｓ３０８で設定した変更方向に１段階変更する。
【００８７】
ステップＳ３２３では、中間パルスを１つカウントしたため、変数ｎを１増加させて、ステップＳ３１９に戻る。Ｓ３１９で、出力信号の反転が検出された場合は、ステップＳ３２５に進む。ステップＳ３２５では、タイマー値ＴＸの測定を終了する。
【００８８】
ステップＳ３２６では、検出したＰＩ１、ＰＩ２の出力信号の情報と図８（ｃ）に記載した条件に基づき、操作リング２０１の回転方向を判別し、前回確認時と同一の方向で回転しているかの判定を行う。前回確認時と異なる方向に回転していると判定された場合は、ユーザーが操作リング２０１の回転方向を途中で変更したと判断し、ステップＳ３０６に戻る。Ｓ３２６で前回確認時と同一の方向に回転していると判定された場合は、ユーザーが操作リング２０１の回転方向を変更せずに、引き続き操作を続けていると判断し、ステップＳ３２７に進む。
【００８９】
ステップＳ３２７では、ＰＩ１、ＰＩ２のどちらか一方の出力信号の反転分として、操作リング２０１に割り当てられた機能の設定値をＳ３０８にて設定した変更方向に１段階変更する。
【００９０】
ステップＳ３２８では、ＰＩ１もしくはＰＩ２の出力信号の反転回数が１回増えたため、変数Ｘを１増加させて、ステップＳ３１４に戻る。以降、Ｓ３０９〜Ｓ３２８の処理を繰り返すことにより、操作リング２０１のクリックＯＦＦ状態での設定値変更処理が行われる。
【００９１】
本実施の形態では、操作リング２０１に割り当てられた機能の設定値の変更制御の動作フローより、操作リング２０１のクリックＯＮ状態よりもクリックＯＦＦ状態の方が、設定値を１段階変更するために必要な操作角度を小さくすることができる。
【００９２】
以上説明したように、操作時のクリック感の有無を切り替え可能な回転操作部材にあって、クリック感有り時よりも無し時の方が、回転操作部材に割り当てられた機能の設定値を１段階変更するために必要な操作角度を小さくするものを提供することができる。
【符号の説明】
【００９３】
１  デジタルカメラ、２  前面カバーユニット、１１５  システム制御部、
１１６  不揮発性メモリ、１１７  システムメモリ、１１８  システムタイマー、
２０１  操作リング、２０２  前面カバー、２０３  操作リング保持部材、
２０４  ベース部材、２０５  切替操作部材、２０６  環状部材、２０７  鋼球、
２０８  付勢ばね、２０９  クリック部材、２１０  切替プレート、
２１１  検出用フレキ基板、２１２  保持部材、２１３  クリック検出用フレキ基板、
２１３ａ  検出用スイッチ、２１４  グランド板金、
ＰＩ１  第１のフォトインタラプタ、
ＰＩ２  第２のフォトインタラプタ
【図１】
2020101728.tif 000003
【図２】
2020101728.tif 000004
【図３】
2020101728.tif 000005
【図４】
2020101728.tif 000006
【図５】
2020101728.tif 000007
【図６】
2020101728.tif 000008
【図７】
2020101728.tif 000009
【図８】
2020101728.tif 000010
【図９】
2020101728.tif 000011
【図１０】
2020101728.tif 000012